(57)【要約】【課題】保護接地機能を兼ねるネジの抜け落ち防止機構を提供する。【解決手段】導電金属からなるユニットＡとユニットＢを保護接地接続となるように所定のネジ径以上の大きさの締結ねじで密着固定するに際し、前記締結ネジが前記いずれかのユニットから抜け落ちるのを防止する抜け落ち防止部材を備えている。【選択図】図１
2012021543.tif 000002
【特許請求の範囲】
【請求項１】
導電金属からなるユニットＡとユニットＢを保護接地接続となるように所定のネジ径以上の大きさの締結ねじで密着固定するに際し、前記締結ネジが前記いずれかのユニットから抜け落ちるのを防止する抜け落ち防止部材を備えたことを特徴とするネジの抜け落ち防止機構。
【請求項２】
前記抜け落ち防止部材は前記締結ネジの頭部を覆うと共に前記ユニットＡ又はユニットＢのいずれかに形成されたことを特徴とする請求項１に記載のネジの抜け落ち防止機構。
【請求項３】
前記抜け落ち防止部材は前記締結ネジの頭部に配置されたｃ−リングであることを特徴とする請求項１に記載のネジの抜け落ち防止機構。
【発明の詳細な説明】
【技術分野】
【０００１】
本発明は、例えばキャビネットなど、金属筐体を持ち、外部から電源を受電して動作する製品一般において、少なくとも２つの金属筐体ユニットを締結するネジの抜け落ち防止構造に関するものである。
【背景技術】
【０００２】
金属筐体ユニット同士の締結において、筐体同士の保護接地接続を求められる場合がある。
図５は筐体同士を締結するネジの抜け落ち防止を施した従来例を示すもので、１はユニットＡ、２はユニットＢ、３は締結ネジ（以下、単に締結ネジと言う）、４はリティナーである。
【０００３】
図５において、ユニットＡにはネジ孔１ａが形成され、このネジ孔１ａには締結ネジ３のネジ部３ａがねじ込まれる。
なお。ネジ部３ａは貫通孔２ａを有するユニットＢおよびリティナー４が通された後にネジ孔１ａにねじ込まれる。
【０００４】
ここで、リティナー４の内側は素材の変形によりねじ部３ａに保持されてる。リティナー４の外径部及び締結ネジの頭部３ｂの径はユニットＢに形成された貫通孔２ａの径よりも大きく形成されている。
また、ユニットＢの貫通孔２ａが形成された外周付近にはリティナー４の外形よりも大きな逃げ２ｂが形成されており、締結ネジ３をユニットＡにねじ込んでもリティナー４には力がかからないようになっている。
【０００５】
上述の構成によれば締結ネジ３が緩んでユニットＡのネジ孔１ａから外れたとしても、ネジ部３ａにリティナー４の内側が素材の変形によりねじ部３ａに保持されてるので、リティナー４の外形部が貫通孔２ａの外周に引っかかり、締結ネジ３が抜け落ちるのを防止することができる。
【０００６】
図６は他の従来例を示すもので、ユニットＡにはネジ孔１ａの他にユニットＢに対向する側の面に所定の径と深さを有する逃げ溝１ｂが形成されている。
また、締結ネジのネジ部３ａと頭部３ｂの間にはネジ部３ａの谷と同じか僅かに細い径の軸部３ｃが形成されている。
【０００７】
４は樹脂製のリティナーで、このリティナーの外周には対向する２箇所に脚部４ｂが形成されており、脚部の先端には外側に向かって爪４ｃが形成されている。
ユニットＢには締結ネジのネジ部３ａの径よりも大きな孔２ａが形成され、この孔２ａの外周の少なくとも２箇所にはリティナーの爪４ｃが貫通する貫通孔２ｂが形成されている。
【０００８】
そして、締結ネジのネジ部３ａを樹脂製リティナー４のネジ孔４ａにねじ込んでリティナー４を頭部３ｂとネジ部３ａの間に位置させ、ネジ部３ａをユニットＢの孔２ａに通してユニットＡのネジ孔１ａにねじ込む。そのとき爪４ｃはリティナーの脚部４ｂが内側に歪んだ状態でユニットＢに形成された貫通孔２ｂ内を摺動しながら挿入される。爪４ｃは貫通孔２ｂを抜けたところで外側に広がってユニットＢとリティナー４が係止される。この爪４ｃはユニットＡの逃げ溝１ｂに入りユニットＡ、Ｂが密着して固定される。
【０００９】
上述の構成によれば締結ネジ３が緩んでユニットＡのネジ孔１ａから外れたとしても、リティナー４の爪４ｃがユニットＢの孔２ａに係止されているので、締結ネジ３の抜け落ちを防止することができる。
【先行技術文献】
【特許文献】
【００１０】
【特許文献１】実用新案登録第３１３９２２６号
【特許文献２】特開２００３−２８１２９号公報
【発明の概要】
【発明が解決しようとする課題】
【００１１】
ところで、図５に示す従来例においては、リテイナー４がユニットＢの逃げ部２ｂに位置する為に、締結ネジ３の直下でユニットＡ及びユニットＢは接触していない。そのため、ユニットＡ、Ｂが締結ネジ３の軸力にて十分に締結されているとは見なされず、金属筐体同士の接触面で保護接地機能を兼ねることができない。
【００１２】
また、図６に示す従来例においては、ユニットＡとユニットＢは直接接触するが、しかし、締結ネジ３の軸力を樹脂製リテイナー４が受けることになるので、クリープの発生が想定される為、ユニットＡとユニットＢの密着が不十分となり保護接地機能を兼ねることができない。
という課題があった。
【００１３】
従って本発明は、ユニットＡとユニットＢの密着を強固にして保護接地機能を兼ねるネジの抜け落ち防止機構を提供することを目的としている。
【課題を解決するための手段】
【００１４】
本発明は上記課題を解決するためになされたもので、請求項1に記載のネジの抜け落ち防止機構の発明においては、
導電金属からなるユニットＡとユニットＢを保護接地接続となるように接続する所定のネジ径以上の大きさの締結ねじで密着固定するに際し、前記締結ネジが前記いずれかのユニットから抜け落ちるのを防止する抜け落ち防止部材を備えたことを特徴とする。
【００１５】
請求項２においては、請求項１に記載のネジの抜け落ち防止機構の発明において、
前記抜け落ち防止部材は前記締結ネジの頭部を覆うと共に前記ユニットＡ又はユニットＢのいずれかに形成されたことを特徴とする。
【００１６】
請求項３においては、請求項１に記載のネジの抜け落ち防止機構の発明において、
前記抜け落ち防止部材は前記締結ネジの頭部に配置されたｃ−リングであることを特徴とする。
【発明の効果】
【００１７】
本発明の請求項１〜３によれば、締結ネジの頭部が抜け落ち防止部材により覆われているのでユニットを締結するネジが緩んだとしても抜け落ちることのないネジの抜け落ち防止機構を実現することができる。
【図面の簡単な説明】
【００１８】
【図１】本発明のネジの抜け落ち防止機構の実施形態の一例を示す平面図(a)、(a)図の一部断面図（ｂ）である。
【図２】他の実施例を示す平面図(a)、(a)図の一部断面図（ｂ）である。
【図３】他の実施例を示す断面図である。
【図４】他の実施例を示す断面図である。
【図５】従来例を示す断面図である。
【図６】他の従来例を示す断面図である。
【発明を実施するための形態】
【００１９】
図１（ａ，ｂ）は本発明のネジの抜け落ち防止機構の要部構成を示すもので、(a)は平面図、(b)は(a)図の一部断面図である。
これらの図において、ユニットＡにはネジ孔１ａが形成され、ユニットＢには締結ネジのネジ部３ａより僅かに大きな貫通孔が形成されている。そしてこれらのユニットＡ、ユニットＢは筐体同士の保護接地接続が施されており、ユニットＢ側から貫通孔２ａを介してユニットＡのネジ孔１にＭ3.5以上の締結ネジのネジ部３ａがねじ込まれてユニットＡ、Ｂが固定される。
【００２０】
１０はネジカバーで、椀部１０ａの縁部に鍔１０ｂが形成され、鍔１０ｂはユニットＢに図示しないネジや溶接などにより固定されている。このネジカバーには椀部１０ａの底部に締結ネジの頭部３ｂの外径より僅かに小さな締結孔６が形成されており、締結ネジが緩んだ場合はこの締結孔６からドライバなどを差し込んで締め付け可能とされている。また、椀部１０ａと締結ネジの頭部３ｂの間隙は締結ネジのネジ部３ａがユニットＡのネジ孔１ａから外れたとしてもユニットＢからは抜け落ちない程度に形成されている。
【００２１】
図２は他の実施例を示す要部構成であり、(a)は平面図、（ｂ）は（ａ）図の一部断面図である。この実施例においてはネジカバー１０が図１の実施例に比較して締結ネジの頭部３ｂの全体を覆うのではなく、半分より少し多く覆った状態となっている。
【００２２】
この場合もユニットＡにはネジ孔1ａが形成され、ユニットＢには締結ネジのネジ部３ａより僅かに大きな貫通孔２ａが形成されている。そしてこれらのユニットＡ、ユニットＢは筐体同士の保護接地接続が施されており、ユニットＢ側から貫通孔２ａを介してユニットＡのネジ孔１ａにＭ3.5以上の締結ネジのネジ部３ａがねじ込まれてユニットＡ、Ｂが固定される。
【００２３】
１０はネジカバーで、この実施例では椀部１０ａの縁部に鍔１０ｂが形成され、鍔１０ｂはユニットＢに図示しないネジや溶接などにより固定されている。このネジカバーには椀部１０ａの底部に締結ネジの頭部３ｂの外径より僅かに小さなドライバの先端が入る程度の締付孔６が形成されており、締結ネジが緩んだ場合はこの締付孔６からドライバなどを差し込んで締め付け可能とされている。
【００２４】
また、椀部１０ａと締結ネジの頭部３ｂの間隙は締結ネジのネジ部３ａがユニットＡのネジ孔１ａから外れたとしてもユニットＢからは抜け落ちない程度に形成されている
【００２５】
図３は更に他の実施例を示すもので、この例においては、ユニットＢの厚さが締結ネジ３の全長より厚い場合の断面図を示している。
この場合もユニットＡにはネジ孔１ａが形成され、ユニットＢには締結ネジのネジ部３ａより僅かに大きな貫通孔２ａが形成されている。また、ユニットＢには貫通孔２ａの同軸上にネジ収納穴２ｃが形成されている。この穴の直径は少なくとも締結ネジの頭部３ｂの外径よりも大きく、深さは締結ネジのネジ部をユニットＡのネジ１ａにねじ込んだ場合に十分な強度が得られる程度に形成されている。
【００２６】
８はネジ収納穴２ｃの入り口付近に形成されたｃ−リング収納溝８ａに配置された抜け止め（ｃ−リング）である。このｃ−リングは締結ネジ３をネジ収納穴２ｂに収納しネジ部３ａを貫通孔２ａから突き出した後に取付ける。なお、これらのユニットＡ、ユニットＢは筐体同士の保護接地接続が施されており、ユニットＢ側から貫通孔２ａを介してユニットＡのネジ孔１にＭ3.5以上の締結ネジのネジ部３ａがねじ込まれてユニットＡ、Ｂが固定される。
【００２７】
また、抜け止め８と締結ネジの頭部３ｂの間隙は締結ネジのネジ部３ａがユニットＡのネジ孔１ａから外れたとしてもユニットＢからは抜け落ちない程度に形成されている。
【００２８】
図４はさらに他の実施例を示す断面図である。
この実施例は構造的には図３に示すものと同様である。即ち、ここではユニットＢに圧力カラー７を圧入や溶接により固定したものである。８はネジ収納穴２ｂの入り口付近に形成された抜け止め（ｃ−リング）で締結ネジ３をネジ収納穴２ｂに収納しネジ部３ａを貫通孔２ａから突き出した後に取付ける。
【００２９】
なお、これらのユニットＡ、ユニットＢは筐体同士の保護接地接続が施されており、ユニットＢ側から貫通孔２ａを介してユニットＡのネジ孔１にＭ3.5以上の締結ネジのネジ部３ａがねじ込まれてユニットＡ、Ｂが固定される。
【００３０】
また、抜け止め８と締結ネジの頭部３ｂの間隙は締結ネジのネジ部３ａがユニットＡのネジ孔１ａから外れたとしてもユニットＢからは抜け落ちない程度に形成されている。
【００３１】
なお、以上の説明は、本発明の説明および例示を目的として特定の好適な実施例を示したに過ぎない。例えばユニットＡ、ユニットＢや締結ネジの形状は図示の例に限ることなく適宜変更可能であり、要は筐体同士の保護接地接続が施された状態であればよい。また、実施例では締結ネジをユニットＢ側に設けたが、ユニットＡ側に設けてもよい。
従って本発明は、上記実施例に限定されることなく、その本質から逸脱しない範囲で更に多くの変更、変形を含むものである。
【符号の説明】
【００３２】
１      ユニットＡ
１ａ、４ａ  ネジ孔
１ｂ    逃げ溝
２      ユニットＢ
２ａ    貫通孔
２ｂ    逃げ
２ｃ    ネジ収納穴
３      締結ネジ
３ａ    ネジ部
３ｂ    頭部
３ｃ    軸部
４      リティナー
４ｂ    脚部
４ｃ    爪
６      締結孔
８      抜け止め（ｃーリング）
８ａ    ｃ−リング収納溝
10      ネジカバー
10a      椀部
10b      鍔
【図１】
2012021543.tif 000003
【図２】
2012021543.tif 000004
【図３】
2012021543.tif 000005
【図４】
2012021543.tif 000006
【図５】
2012021543.tif 000007
【図６】
2012021543.tif 000008